(57)【要約】      （修正有）【課題】  ２以上の帯域の内の何れかの周波数帯域でＯＦＤＭ方式の通信が行われる移動通信システムにおいて、下りリンク信号への接続を容易にする基地局を提供すること。【解決手段】  基地局は、２以上の周波数帯域の何れかを用いて移動局とＯＦＤＭ方式の通信を行う。基地局は、第１の帯域（２０ＭＨｚ）のラスタ上の中心周波数ｆＡを含み、第２の帯域（端の５ＭＨｚ）の帯域幅以上の帯域で同期チャネル及び制御チャネルを送信する手段を有する。制御チャネルは、前記第２の帯域の中心周波数ｆＡ’を特定する中心周波数情報を含む。移動局は、ラスタ上の中心周波数を含む帯域で中心周波数情報を得た後に、所望の帯域に移るので、ラスタ上にない周波数をサーチせずに所望の帯域に接続することができる。【選択図】  図７Ａ
2006352381.tif 000002
【特許請求の範囲】
【請求項１】
２以上の周波数帯域の何れかを用いて移動局と直交周波数分割多重化（ＯＦＤＭ）方式の通信を行う基地局であって、
第１の帯域のラスタ上の中心周波数を含み、第２の帯域の帯域幅以上の帯域で同期チャネル及び制御チャネルを送信する手段を有し、
前記制御チャネルは、前記第２の帯域の中心周波数を特定する中心周波数情報を含む
ことを特徴とする基地局。
【請求項２】
同期チャネル及び制御チャネルが、前記第１の帯域のラスタ上の中心周波数を含み前記第２の帯域の帯域幅に等しい帯域で送信される
ことを特徴とする請求項１記載の基地局。
【請求項３】
同期チャネルが前記第１の帯域全域で送信される
ことを特徴とする請求項１記載の基地局。
【請求項４】
同期チャネルがサブキャリア間隔より広い間隔で周波数方向にマッピングされる
ことを特徴とする請求項１記載の基地局。
【請求項５】
第１の帯域及び所定の送信時間間隔の１以上にわたってマッピングされた２次元スクランブル符号のうち、第１の帯域のラスタ上の中心周波数を含み第２の帯域の帯域幅以上の帯域にマッピングされている２次元スクランブル符号で制御チャネルが符号化される
ことを特徴とする請求項１記載の基地局。
【請求項６】
第１の帯域のラスタ上の中心周波数を含み第２の帯域の帯域幅に等しい帯域で送信される基本制御情報は、どの帯域を使用する移動局にも共通する制御情報を含み、
前記第２の帯域以外の第３の帯域で伝送される制御情報は、前記第３の帯域を使用する移動局に固有の制御情報が含まれる
ことを特徴とする請求項１記載の基地局。
【請求項７】
前記ラスタ上の中心周波数帯域を含む所定の帯域幅内の同期チャネル及びスクランブル符号は、異なる帯域幅で通信する移動局に共通するパターンである
ことを特徴とする請求項１記載の基地局。
【請求項８】
前記同期チャネルが、インパルス状の相関特性を有する系列で表現され、周波数方向にマッピングされる
ことを特徴とする請求項１記載の基地局。
【請求項９】
２以上の周波数帯域の何れかを用いて移動局と直交周波数分割多重化（ＯＦＤＭ）方式の通信を行う基地局で使用される方法であって、
第１の帯域のラスタ上の中心周波数を含み第２の帯域の帯域幅以上の帯域で、同期チャネルを送信し、
第１の帯域のラスタ上の中心周波数を含み第２の帯域の帯域幅以上の帯域で、前記第２の帯域の中心周波数を特定する中心周波数情報を含む制御チャネルを送信する
ことを特徴とする方法。
【請求項１０】
２以上の周波数帯域の何れかを用いて伝送される下りリンク信号を受信する手段と、
第１の帯域のラスタ上の中心周波数を含み第２の帯域の帯域幅以上の帯域で基地局から送信された同期チャネル及び制御チャネルを検出する手段と、
前記制御チャネルから中心周波数情報を抽出する手段と、
前記中心周波数情報に従って、信号を受信する周波数帯域を変更する手段と、
を有し、前記中心周波数情報は当該移動局が通信に使用するように基地局が指示する第２の帯域の中心周波数を特定することを特徴とする移動局。
【請求項１１】
２以上の周波数帯域の何れかを用いて伝送される下りリンク信号を受信し、
第１の帯域のラスタ上の中心周波数を含み第２の帯域の帯域幅以上の帯域で基地局から送信された同期チャネル及び制御チャネルを検出し、
前記制御チャネルから中心周波数情報を抽出し、
前記中心周波数情報に従って、信号を受信する周波数帯域を変更し、
前記中心周波数情報は移動局が通信に使用するように基地局が指示する第２の帯域の中心周波数を特定することを特徴とする移動局で使用される方法。
【発明の詳細な説明】
【技術分野】
【０００１】
本発明は一般に無線通信の技術分野に関連し、特に複数の帯域で使用することが可能な基地局、移動局及び方法に関する。
【背景技術】
【０００２】
広帯域符号分割多重接続（Ｗ−ＣＤＭＡ）方式やＧＳＭ方式等に関する既存の通信システムでは、通信に使用される帯域の中心周波数はラスタ又は周波数ラスタと呼ばれる所定の周波数に一致するように規定されている。周波数ラスタは例えば２００ｋＨｚ毎に周波数軸上に並んでいる。従って、移動局は周波数軸上で周波数ラスタを順番にサーチすることで（２００ｋＨｚ毎にサーチすることで）、オペレータの中心周波数を特定し、下りリンクに接続することができる。下りリンクのセルサーチについては、非特許文献１，２に記載されている。
【非特許文献１】３ＧＰＰ、ＴＳ２５．１０１、“Ｕｓｅｒ  Ｅｑｕｉｐｍｅｎｔ（ＵＥ）ｒａｄｉｏ  ｔｒａｎｓｍｉｓｓｉｏｎ  ａｎｄ  ｒｅｃｅｐｔｉｏｎ（ＦＤＤ）”、ｐｐ．１２−１４
【非特許文献１】立川敬二、「Ｗ−ＣＤＭＡ移動通信方式」、丸善株式会社、ｐｐ．３５−４５
【発明の開示】
【発明が解決しようとする課題】
【０００３】
ところで、広狭複数の帯域を使用する直交周波数分割多重化（ＯＦＤＭ）方式の無線通信システムが検討されている。ＯＦＤＭ方式が採用するのは、それがマルチパス伝搬干渉やシンボル間干渉を効果的に抑制できる等の利点を有するからである。このような無線通信システムでは、例えば２０ＭＨｚのような広帯域とその一部の帯域（例えば５ＭＨｚ）とが、移動局の装置構成、基地局の装置構成及びアプリケーション等に応じて使い分けられるようにして、多様なオペレータがサービスを提供できるように配慮されている。
【０００４】
図１は、複数の帯域幅を有するＯＦＤＭ方式の無線通信システムに関するスペクトルを模式的に示す。セルＡでは２０ＭＨｚの広い帯域幅でも５ＭＨｚの狭い帯域幅でもＯＦＤＭ方式の通信がそれぞれ行われる。５ＭＨｚの狭い帯域幅は、周波数軸上で２０ＭＨｚの広い帯域幅の右端に位置する。セルＡとは別のセルＢでも５ＭＨｚの帯域幅でＯＦＤＭ方式の通信が行われる。セルＢでの帯域は、セルＡの２０ＭＨｚの帯域とは周波数軸上で離れた位置にある。上述したように周波数軸上には周波数ラスタが一定間隔毎に設定されている。図示の例では、左側のＸＨｚを起点にΔｒａｓｔｅｒＨｚ毎に周波数ラスタが設定されている。セルＡの２０ＭＨｚの帯域の中心周波数ｆＡは周波数ラスタＸ＋２Δｒａｓｔｅｒ上にある。セルＢの５ＭＨｚの帯域の中心周波数ｆＢは周波数ラスタＸ＋５Δｒａｓｔｅｒ上にある。
【０００５】
一方、サブキャリア間隔は周波数ラスタとは無関係に定められるので、周波数ラスタの間隔はサブキャリア間隔の整数倍であるとは限らない。従って、広帯域の２０ＭＨｚの周波数帯域の中心周波数ｆＡがラスタ上にあったとしても、その一部の５ＭＨｚの帯域の中心周波数ｆＡ’は常にはラスタ上にないことが予想される。このため、セルＡで５ＭＨｚの周波数帯域を使用しようとする移動局が下りリンクに接続するための手順や中心周波数のサーチに要する処理が複雑化してしまうという問題が懸念される。
【０００６】
本発明の課題は、２以上の帯域の内の何れかの周波数帯域でＯＦＤＭ方式の通信が行われる移動通信システムにおいて、下りリンク信号への接続を容易にする基地局、移動局及び方法を提供することである。
【課題を解決するための手段】
【０００７】
本発明では、２以上の周波数帯域の何れかを用いて移動局とＯＦＤＭ方式の通信を行う基地局が使用される。基地局は、第１の帯域のラスタ上の中心周波数を含み、第２の帯域の帯域幅以上の帯域で同期チャネル及び制御チャネルを送信する手段を有する。制御チャネルは、前記第２の帯域の中心周波数を特定する中心周波数情報を含む。
【発明の効果】
【０００８】
本発明によれば、２以上の帯域の内の何れかの周波数帯域でＯＦＤＭ方式の通信が行われる移動通信システムにおいて、下りリンク信号への接続が容易になる。
【発明を実施するための最良の形態】
【０００９】
本発明の一形態では、第１の帯域（２０ＭＨｚ）のラスタ上の中心周波数ｆＡを含み第２の帯域（端の５ＭＨｚ）の帯域幅以上の帯域で、同期チャネルが基地局から移動局に送信される。その中心付近の帯域で、第２の帯域の中心周波数ｆＡ’を特定する中心周波数情報を含む制御チャネルが基地局から移動局に送信される。移動局は、ラスタ上の中心周波数を含む帯域で中心周波数情報を得た後に、所望の帯域に移るので、ラスタ上にない周波数をサーチせずに所望の帯域に接続することができる。
【００１０】
同期チャネル及び制御チャネルは、第１の帯域のラスタ上の中心周波数を含み前記第２の帯域の帯域幅に等しい帯域で送信されてもよい。これにより、移動局は使用する帯域幅によらず公平に下りリンクに接続できる。同期チャネル及び／又は制御チャネルは第１の帯域全域で送信されてもよい。これにより、通信に使用される帯域幅に応じて異なる情報を制御チャネルに含めることができる。
【００１１】
同期チャネルがサブキャリア間隔より広い間隔で周波数方向にマッピングされてもよい。同期チャネルがマッピングされなかったサブキャリアは他の情報を割り当てることができるので、情報の伝送効率を向上させることができる。
【００１２】
第１の帯域及び所定の送信時間間隔の１以上にわたってマッピングされた２次元スクランブル符号のうち、第１の帯域のラスタ上の中心周波数を含み第２の帯域の帯域幅以上の帯域にマッピングされている２次元スクランブル符号で制御チャネルが符号化されてもよい。これにより、移動局は同期を確立した後にスクランブル符号を切り換えずに制御チャネルを復調することができる。
【００１３】
第１の帯域のラスタ上の中心周波数を含み第２の帯域の帯域幅に等しい帯域で送信される基本制御情報は、どの帯域を使用する移動局にも共通する制御情報を含み、第２の帯域以外の第３の帯域で伝送される制御情報は、前記第３の帯域を使用する移動局に固有の制御情報が含まれてもよい。
【００１４】
本発明の一形態による移動局は、２以上の周波数帯域の何れかを用いて伝送される下りリンク信号を受信する手段と、第１の帯域のラスタ上の中心周波数を含み第２の帯域の帯域幅以上の帯域で基地局から送信された同期チャネル及び制御チャネルを検出する手段と、前記制御チャネルから前記第２の帯域の中心周波数を特定する中心周波数情報を抽出する手段と、前記中心周波数情報に従って、信号を受信する周波数帯域を変更する手段とを有する。
【実施例１】
【００１５】
図２は本発明の一実施例による送信機を模式的に示す。送信機は典型的には基地局に設けられる。送信機は、送信データと同期パターンを多重化する多重部（ＭＵＸ）と、多重化されたデータを高速逆フーリエ変換するＩＦＦＴ部と、逆フーリエ変換後のＯＦＤＭ方式で変調済みの信号にガードインターバルを付加し、送信するシンボルを出力するガードインターバル付与部（ＧＩ）と、送信するシンボルの信号形式を無線周波数で送信するための信号形式に変換する無線部（ＲＦ）とを有する。
【００１６】
図３は、本発明の一実施例による受信機のブロック図を示す。受信機は典型的には移動局に設けられる。受信機はアンテナで受信した信号をディジタル形式のシンボルに変換する無線部（ＲＦ）と、シンボルからガードインターバルを除去して有効シンボルを出力するガードインターバル除去部（ＧＩ）と、有効シンボルのデータを高速フーリエ変換してＯＦＤＭ方式の復調を行うＩＦＦＴ部と、ＯＦＤＭ方式の復調後のデータと所定の同期パターンとの相関を計算し、相関ピークを検出する相関検出部とを有する。
【００１７】
図４は、図２の多重部で多重化される同期チャネルのマッピング例を示す。基地局及び移動局は広狭様々な周波数帯域の何れかで通信を行うことができ、図示の例では２０ＭＨｚ、１０ＭＨｚ又は５ＭＨｚが通信に使用される場合の同期チャネルのマッピング例を示す。基地局が２０ＭＨｚの帯域幅を使用する場合に、基地局の送信機は全サブキャリアに同期チャネルのデータをマッピングする。簡明化のため、２０ＭＨｚで４０個のサブキャリアしか描かれていないが実際には多数のサブキャリアが存在する。同期チャネルがｄ１，ｄ２，．．．，ｄ４０のデータ系列で何らかの同期パターンを表現する場合に、そのデータ系列が周波数軸方向に並べられ、各サブキャリアにマッピングされる。図中、四角で囲まれた数字「１」、「２」、．．．は上記のｄ１，ｄ２，．．．に相当する。
【００１８】
基地局が２０ＭＨｚの帯域を利用し、移動局も同じ２０ＭＨｚの帯域を利用する場合には、移動局はその２０ＭＨｚの帯域の中心周波数をセルサーチで容易に発見でき、下りリンクに接続し、以後の通信を行うことができる。移動局が２０ＭＨｚの帯域と中心周波数が異なる５ＭＨｚの帯域を使用する場合には次のような動作が行われる。移動局は図３の相関検出部にｄ１６，ｄ１７，．．．，ｄ２５の同期パターンを与える。このようにすると、図５に示されるように、移動局は２０ＭＨｚの帯域の中心周波数ｆＡを検出することができる。相関検出部では、受信信号と同期チャネルのレプリカｄ１６，ｄ１７，．．．，ｄ２５との間で位相をずらしながら相関計算を行い、相関値がピークになる周波数が検出される。相関計算では、１サブキャリアでもずれていると相関値は小さくなり、帯域の中心が正確に検出できる。同期パターンとしてはＰＮ符号系列、ゴールド符号系列その他の様々な系列が使用されてもよい。相関計算を行うことで、何らかのピークが得られ、その位置が特定できればよいからである。
【００１９】
目下の例では、５ＭＨｚの帯域を利用する移動局が在圏するセルの中で、２０ＭＨｚ、１０ＭＨｚ及び５ＭＨｚの帯域幅が用意され、移動局はその何れかを使用することができる。基地局は、図４（１）に示されるように全サブキャリアにわたって同期チャネルをマッピングして送信することに加えて、図６に示されるように、中心周波数ｆＡを中心とする５ＭＨｚの帯域で、全ユーザ向けの制御情報（共通制御チャネル）を送信する。図５に関連して説明されたように、５ＭＨｚの帯域を利用する移動局も、中心周波数ｆＡを検出することができ、周波数ｆＡを中心とする５ＭＨｚの帯域で伝送される制御チャネルを適切に復調することができる。この共通制御チャネルには、２０ＭＨｚの帯域の一部を使用する５ＭＨｚの帯域の中心周波数ｆＡ’（通常はラスタ上にない）の位置を特定できる中心周波数情報が含まれている。中心周波数情報は例えば周波数ｆＡ’がラスタ上の周波数ｆＡとどの程度離れているかを示す情報を含んでいてもよい。移動局は、共通制御チャネルを復調し、中心周波数情報を読み取り、（図３のＲＦ部のような）無線部内の周波数シンセサイザを調整し、移動局が受信する５ＭＨｚの帯域の中心を周波数ｆＡ’に合わせる。以後、移動局は２０ＭＨｚの帯域の右端の５ＭＨｚを用いてデータチャネル等を通信することができる。
【００２０】
図７Ａは本発明の一実施例による動作のフローチャートを示し、図７Ｂはそのフローで移動局が下りリンクに接続する様子を模式的に示す。両図を参照しながら動作例が説明される。２０ＭＨｚの帯域の中心周波数を含む５ＭＨｚの帯域（中央帯域）で制御チャネル及び同期チャネルが基地局から送信される。この制御チャネル及び同期チャネルは、移動局がトラフィックデータの通信に使用しようとする帯域幅によらず（５ＭＨｚ、１０ＭＨｚ、２０ＭＨｚ等のような帯域幅によらず）、どの移動局にも共通するパターンに設定されている。ステップ１では、同期及び制御チャネルが基地局から送信され、移動局はセルサーチを行うことで同期チャネルを受信し同期をとる。ステップ２では移動局は制御チャネルを受信して復調し、周波数情報を読み取る。周波数情報には、その移動局に割り当てられる周波数帯域に関する情報（中央帯域及び使用の許可された帯域（使用許可帯域）間の偏移量等）が含まれる。周波数情報に、そのセルの帯域幅が２０ＭＨｚであることを示す基地局情報が含まれてもよい（これは必須ではない。）。ステップ３では移動局は制御チャネルで通知された使用の許可された帯域に、受信信号の周波数を調整し、通信を行う帯域を変更する。以後、使用許可帯域（例えば５ＭＨｚの帯域幅を有する）で移動局はデータ通信を開始する。上述したように、中央帯域の中心周波数ｆＡはラスタ上にあるが、使用許可帯域の中心周波数ｆＡ’はラスタ上にあるとは限らない。したがって、上記の周波数情報なしに移動局が使用許可帯域の中心周波数を検出することは容易ではない。中央帯域のラスタ上の中心周波数はどの移動局でも容易に検出でき、制御チャネルを復調できるので、移動局は通信の中心周波数をラスタ上にない所望の周波数へ容易に移すことができる。
【００２１】
図７に示されるように、５ＭＨｚを利用する移動局は、先ず２０ＭＨｚの帯域の中心周波数ｆＡを検出し、中心の５ＭＨｚの帯域で伝送されている共通制御チャネルを受信する。基地局はそのような制御チャネルを送信データとして用意して同期チャネルに加えて配下の移動局に送信する必要がある。移動局は制御チャネルの指示内容に従って、使用許可されている右端の５ＭＨｚの帯域に移行する。以後、移行した帯域で通信が行われる。
【００２２】
なお、図２，３の例では周波数領域で同期チャネルが多重及び分離されていたが、図８，９に示されるように時間領域で多重及び分離が行われてもよい。移動局が２０ＭＨｚの帯域の中心を検出でき、制御チャネルを復調できればよいからである。
【実施例２】
【００２３】
図１０も同期チャネルのマッピング例を示す。但し、図１０の例では、基地局は５ＭＨｚの帯域でしか通信できないが、移動局は２０ＭＨｚの帯域を使用できる性能を有する。この場合、移動局は２０ＭＨｚの帯域総てを用いる通信を行うことはできない。基地局は、図４（３）に示されるように、全４０個のデータ系列の一部であるｄ１６，ｄ１７，．．．，ｄ２５のような１０個のデータ系列を同期チャネルのパターンとして配下の移動局に送信する。移動局は、図４（１）に示されるようなｄ１，ｄ２，．．．，ｄ４０のような全４０個のデータ系列のを用意し、それと受信信号との相関を計算し、ピークの位置を検出する。図１０に示されるように、移動局は５ＭＨｚの帯域の中心周波数ｆＡを検出して同期を確保し、その帯域で送信されている制御チャネルを受信し、基地局は５ＭＨｚでしか通信できないことを知ることができる。
【００２４】
基地局がどの帯域で通信しているかは、下りの制御チャネルで報知されてもよいし、以下の例で説明されるように移動局で判断されてもよい。一例として、移動局は、図１０に示されるように３種類の相関値を導出する。第１の相関値は中心付近のデータ系列ｄ１６〜ｄ２５に関する相関値であり、第２の相関値は中心付近のデータ系列ｄ１６〜ｄ２５に加えてその両側を加味したデータ系列ｄ１１〜ｄ３０に関する相関値であり、第３の相関値は全域にわたるデータ系列ｄ１〜ｄ４０に関する相関値である。例えば、上記の例のように基地局が５ＭＨｚの帯域でしか同期チャネルを送信していなかったとすると、第１、第２及び第３の相関値は何れも等しい大きさのピークを示す。しかし、基地局が図４（２）に示されるように１０ＭＨｚの帯域で同期チャネルを送信していたならば、第１の相関値は第２の相関値より小さく、第２の相関値と第３の相関値は同程度の大きさになる。より長いデータ系列の相関値は、より大きなピークを与えるからである。更に、基地局が２０ＭＨｚの全域で同期チャネルを送信していたならば、第１，第２及び第３の相関値の順に大きな相関値が得られる。従って、第１乃至第３の相関値を算出し、それらの大きさを比較することで基地局の帯域を特定することができる。
【実施例３】
【００２５】
図１１は同期チャネルの別のマッピング例を示す。移動局で同期が確保できる限り、同期チャネルは使用される帯域全域に必ずしも挿入されなくてもよい。図示の例では２サブキャリア毎に同期チャネルが周波数軸方向に間欠的に挿入されている。また、同期チャネルは周波数軸方向だけでなく、図１２に示されるように時間軸方向に挿入されてもよい。いずれにせよ、同期チャネルの挿入されなかったサブキャリアには別の信号をマッピングすることができるので、同期チャネルのマッピング量を最小限に抑制することで、情報伝送効率を向上させることができる。
【００２６】
上述のようにセルでサポートされる帯域幅に応じて同期チャネルのマッピングパターンが異なってもよいし、図１３に示されるようにどの帯域で移動局が通信するかによらず中心付近の同じ帯域幅で同期チャネルが送信されてもよい。この場合、図１０で説明したように基地局の帯域を移動局で判断することは困難になるかもしれない。しかし、使用される帯域幅によらずセルの検出精度を公平にする等の観点からは、同期チャネルの挿入される帯域が共通していることが望ましい。
【００２７】
図１４は、５ＭＨｚ以上の帯域が使用される場合には５ＭＨｚで同期チャネルが送信され、５ＭＨｚより狭い帯域が使用される場合には帯域幅に応じて同期チャネルのマッピングが異なる例を示す。使用可能な帯域に著しい広狭がある場合にまでセル検出精度の公平性を求めると、広帯域を使用する場合のセル検出精度が十分に得られなくなってしまうことが懸念される。広帯域の場合の同期チャネル構成が最適なものから大きく異なるようになるからである。この場合、図１４に示されるようにすることで、セルの検出精度及び公平性の双方に配慮することができる。
【実施例４】
【００２８】
図１５は図６に示される共通制御チャネルとは別の共通制御チャネルの構成を示す。図１５の構成例では、中心の５ＭＨｚの第１帯域に、全ユーザ向けの制御情報と、５ＭＨｚの帯域を使用するユーザ向けの制御情報とが含まれている。後者の制御情報には、中心周波数ｆＡと使用する帯域の中心周波数ｆＡ’との関係等を示す中心周波数情報が含まれる。第１帯域の両側２．５ＭＨｚずつの第２帯域では、全ユーザ向けの制御情報の冗長情報と、１０ＭＨｚの帯域を使用するユーザ向けの制御情報とが伝送される。前者の冗長情報は、制御情報に施される誤り訂正符号化の各種のアルゴリズムに従って導出される冗長ビットで表現される。後者の制御情報は１０ＭＨｚの帯域を使用するユーザ用の中心周波数情報等が含まれる。この第２帯域の更に両側の第３帯域では全ユーザ向けの制御情報の冗長情報と、１０ＭＨｚの帯域を使用するユーザ向けの制御情報とが伝送される。ユーザが使用する帯域に合わせて制御情報等を分散して伝送することで、例えば移動局の等級に応じて制御チャネルの伝送内容を変えることができる。
【実施例５】
【００２９】
同期チャネルに加えて基地局から送信される制御チャネルやデータチャネルには、基地局に固有のスクランブル符号が適用されてもよい。この場合、通信に使用される帯域幅毎にスクランブル符号が全く独立に設定されていると、同期確立後に移動局が制御チャネルを復号するための処理が複雑化するおそれがある。本実施例では、所定の期間及び２０ＭＨｚの帯域全域で定義される２次元符号の全部又は一部を用いて、スクランブル符号が決定される。
【００３０】
図１６は制御チャネル等に乗算されるスクランブル符号の一例を示す図である。図示の例では、周波数方向の４０個のサブキャリア及び時間方向の８シンボルにわたる２次元符号が先ず規定される。隣接するシンボルは周波数軸方向の位相が１サブキャリアだけ互いにずれた関係になっている。基地局が２０ＭＨｚの帯域全部を用いて制御チャネル等を送信する場合には、これら総てのスクランブル符号が制御チャネルに乗算され、送信される。基地局が５ＭＨｚの帯域しか使用しない場合には、中心周波数ｆＡを含む５ＭＨｚの帯域にマッピングされているスクランブル符号が使用される。基地局が１０ＭＨｚの帯域しか使用しない場合には、中心周波数ｆＡを含む１０ＭＨｚの帯域にマッピングされているスクランブル符号が使用される。このため、移動局は同期確立後にスクランブル符号を切り換えずに制御チャネルを復調でき、下りリンクに簡易に接続できる。
【００３１】
２０ＭＨｚの全域及び８シンボルにわたる２次元符号は、図１６に示されるような繰り返しパターンでなくてもよい。図１７は、繰り返しパターンではなく一連のデータ系列で２次元符号が用意されている場合を示す。このような２次元符号を用いても、上記と同様な効果が得られる。
【実施例６】
【００３２】
第1実施例等では移動局の使用帯域の最小幅が５ＭＨｚであり、同期チャネル及び制御チャネルが５ＭＨｚの中央帯域で伝送されていた。しかし、５ＭＨｚ以外の帯域幅で同期チャネル及び制御チャネルが伝送されてもよい。図１８に示される例では、移動局の使用可能な帯域が１．２５ＭＨｚであり、中央帯域が１．２５ＭＨｚである場合を示す。図１９は、第４実施例の図１５と同様であるが中央の最小帯域幅が１．２５ＭＨｚである点が異なる。更に、図１８及び図１９に示される構成例を組み合わせ、図２０に示されるように１．２５ＭＨｚの帯域及び中央の５ＭＨｚの帯域で制御チャネルが伝送されてもよい。これにより、５ＭＨｚ以上の帯域幅を利用するユーザに対しては広帯域化の利益（制御チャネルの高品質化等）をもたらしつつ、移動局間の公平性にも配慮することができる。
【図面の簡単な説明】
【００３３】
【図１】複数の帯域幅を有するＯＦＤＭ方式の無線通信システムに関するスペクトルを模式的に示す。
【図２】本発明の一実施例による送信機のブロック図を示す。
【図３】本発明の一実施例による受信機のブロック図を示す。
【図４】同期チャネルのマッピング例を示す図である。
【図５】帯域の中心が検出される原理を示す図である。
【図６】制御チャネルの構成例を示す図である。
【図７Ａ】本発明の一実施例による動作のフローチャートを示す図である。
【図７Ｂ】本発明の一実施例による動作を周波数軸上で示す図である。
【図８】本発明の一実施例による送信機のブロック図を示す。
【図９】本発明の一実施例による受信機のブロック図を示す。
【図１０】帯域の中心が検出される原理を示す図である。
【図１１】同期チャネルの別のマッピング例を示す図である。
【図１２】同期チャネルの別のマッピング例を示す図である。
【図１３】同期チャネルの別のマッピング例を示す図である。
【図１４】同期チャネルの別のマッピング例を示す図である。
【図１５】制御チャネルの別の構成例を示す図である。
【図１６】制御チャネルに乗算されるスクランブル符号の一例を示す図である。
【図１７】制御チャネルに乗算されるスクランブル符号の一例を示す図である。
【図１８】制御チャネルの構成例を示す図である。
【図１９】制御チャネルの別の構成例を示す図である。
【図２０】制御チャネルの別の構成例を示す図である。
【符号の説明】
【００３４】
ＭＵＸ  多重部
ＦＦＴ  高速フーリエ変換部
ＩＦＦＴ  高速逆フーリエ変換部
ＧＩ  ガードインターバル挿入部又は除去部
ＲＦ  無線部
【図１】
2006352381.tif 000003
【図２】
2006352381.tif 000004
【図３】
2006352381.tif 000005
【図４】
2006352381.tif 000006
【図５】
2006352381.tif 000007
【図６】
2006352381.tif 000008
【図７Ａ】
2006352381.tif 000009
【図７Ｂ】
2006352381.tif 000010
【図８】
2006352381.tif 000011
【図９】
2006352381.tif 000012
【図１０】
2006352381.tif 000013
【図１１】
2006352381.tif 000014
【図１２】
2006352381.tif 000015
【図１３】
2006352381.tif 000016
【図１４】
2006352381.tif 000017
【図１５】
2006352381.tif 000018
【図１６】
2006352381.tif 000019
【図１７】
2006352381.tif 000020
【図１８】
2006352381.tif 000021
【図１９】
2006352381.tif 000022
【図２０】
2006352381.tif 000023